(57)【要約】  オーボエは、一方を他方に嵌め込むことのできる２つの部分から成る細長い本体を含み、第１の部分（１０）は片端（１０ａ）にリードを収容するように適合されたピペレル（１１）を担持し、第２の部分（２０）はベル（３０）に嵌め込まれるよう適合されている。本体の２つの部分（１０、２０）の横断方向のジョイント面はオクターブホール（１３）とトーンホールの間にあり、トーンホールが前記第２の部分（２０）とベル（３０）の中のみに位置づけられている。
2007530994.tif 000002
【特許請求の範囲】
【請求項１】
一方を他方に嵌め込むことのできる２つの部分から成る細長い本体を有し、第１の部分（１０）は片端（１０ａ）にリードを収容するように適合されたピペレル（１１）を担持し、第２の部分（２０）はベル（３０）に嵌め込まれるよう適合されているオーボエにおいて、前記本体の２つの部分の横断方向のジョイント面がオクターブホール（１３）とトーンホールの間にあり、前記トーンホールが前記第２の部分（２０）と前記ベル（３０）の中のみに位置づけられている、ことを特徴とするオーボエ。
【請求項２】
前記横断方向のジョイント面は、前記オクターブホール（１３）と、該オクターブホール（１３）とトーンホールとの間に配置されたトリルホール（２２）との間にある、ことを特徴とする請求項１に記載のオーボエ。
【請求項３】
前記本体の第１の部分（１０）は、前記オクターブホール（１３）しか有していない、ことを特徴とする請求項２に記載のオーボエ。
【請求項４】
Ｇ♯（ソ♯）キー（２４）は、その一部分がＥ♭（ミ♭）キー（２５）の下に延びている、ことを特徴とする請求項１から請求項３のいずれか一つの請求項に記載のオーボエ。
【請求項５】
前記オクターブホール（１３）を担持する前記本体の第１の部分（１０）は、１００〜１２０mmの間に含まれる長さを有する、ことを特徴とする請求項１から請求項４のいずれか一つの請求項に記載のオーボエ。
【請求項６】
前記本体の第１の部分（１０）は、１０２mmにほぼ等しい長さを有する、ことを特徴とする請求項５に記載のオーボエ。
【請求項７】
前記トーンホールを担持する前記本体の第２の部分（２０）は、３７０mmにほぼ等しい長さを有する、ことを特徴とする請求項１から請求項６のいずれか一つの請求項に記載のオーボエ。
【請求項８】
付属部品として前記第１の部分（１０）と互換性あるもう１つの第１の部分を含む、ことを特徴とする請求項１から請求項７のいずれか一つの請求項に記載のオーボエ。
【請求項９】
リードを収容するように適合されたピペレル（１１）を片端（１０ａ）に担持する、オクターブホール（１３）を有するオーボエヘッドにおいて、請求項１から請求項８のいずれか一つの請求項に記載のオーボエの本体の第２の部分（２０）に嵌め込まれるように適合されている、ことを特徴とするオーボエヘッド。
【請求項１０】
１００〜１２０mmの間に含まれる長さを有する、ことを特徴とする請求項９に記載のオーボエヘッド。
【請求項１１】
さらにトリルホール（２２）を有する、ことを特徴とする請求項９または請求項１０に記載のオーボエヘッド。
【発明の詳細な説明】
【技術分野】
【０００１】
本発明は、オーボエのような管楽器に関する。
【０００２】
本発明は同様に、本発明に係るオーボエの本体の一部分上に取付けられるように適合されたオーボエヘッドに関する。
【背景技術】
【０００３】
オーボエは、一般に、一方が他方に嵌め込まれる３つの部分を含む管楽器である。
【０００４】
かくして、オーボエは一方を他方に嵌め込むことのできる２つの部分から成る細長い本体を有する。リードを収容するべく適合されたピペレル（リード挿入部）を片端に担持する第１の部分は上管と呼ばれる。下管と呼ばれる本体の第２の部分は、オーボエの第３の部分を構成するベルに嵌め込まれるように適合されている。
【０００５】
本体及びベルの異なる部分にはホール（穴）があけられ、その開閉により特に楽器が発する音の高低を変更することができる。
【０００６】
従来の方法では、これらのホールはコルク又はフェルトで被覆されたタンポを用いて閉塞されており、これらのタンポはそれ自体キーとタンポの間に延びるレバーを介して一連のキーを用いて作動される。
【０００７】
従来の方法では、オーボエはそのピペレルからベルに至るまで一連の開口部特にオクターブホール、トリルホール（カデンツホールとも呼ばれる）及び低Ｂ♭（シ♭）及びＣ♯（ド♯）の間又はオープンＤ♭（レ♭）の間の１オクターブ以上にわたって広がるトーンホールを有する。
【０００８】
従来のオーボエにおいては、上管は、オクターブホール、トリルホール、及びＣ♯（ド♯）とＧ♯（ソ♯）の間に含まれるトーンホールを有している。
【０００９】
下管は、Ｇ（ソ）とＣ（ド）の間に含まれるトーンホールを有し、一方ベルはＢ（シ）ナチュラルのトーンホールならびにベルの共鳴を修正できるホールを有している。低Ｂ♭（シ♭）は、全てのトーンホールを塞いだ状態でＢ（シ）ナチュラルを閉じることで得られる。
【００１０】
このタイプの管楽器は、得られるその音質のため今なお伝統的に木製で、又は一般的には黒檀で作られる。
【００１１】
しかしながらこのような楽器は非常に脆く、オーボエの本体、特にオーボエの上管が演奏者の息の中に存在する水分と接触した時点で及び熱衝撃の際に割れることがめずらしくない。
【００１２】
さらに、上管及び下管の組立ては、各々の本体を超えて延びるキー及びレバーの存在によりつねに容易なわけではない。
【発明の開示】
【発明が解決しようとする課題】
【００１３】
本発明の目的は、上述の欠点を解決し、演奏者にとってさらに優れた組立て及び演奏面の人間工学を提供するオーボエを提供することにある。
【００１４】
このため、本発明は、一方を他方に嵌め込むことのできる２つの部分から成る細長い本体を有し、第１の部分が片端にリードを収容するように適合されたピペレルを担持し、第２の部分はベルに嵌め込まれるよう適合されているオーボエを対象としている。
【課題を解決するための手段】
【００１５】
本発明によれば、本体の２つの部分の横断方向のジョイント面は、オクターブホールとトーンホールの間にあり、トーンホールは上記第２の部分とベルの中のみに位置づけられている。
【００１６】
かくして、本発明に係るオーボエは、本体の新たな配分を呈し、もはや従来の通りほぼ同じ長さの上下２つの部分に分断されておらず、むしろオーボエヘッドが上に組立てられる主本体で構成されている。このオーボエヘッドはピペレルの近くにあるオクターブホールを有し、場合によって、オクターブホールとトーンホールとの間に配置されるトリルホールを有する。
【００１７】
本体の２つの部分の横断方向のジョイント面のこの新たな位置づけは、特にオーボエの本体に沿った音の位置合せを変更できるようにし、特に従来のオーボエの２つの本体部分の間に必要な固定手段の存在を理由として従来遠隔していたいくつかの音を近づけることを可能にする。
【００１８】
その上、該オーボエは、互換が容易なヘッドを有し、このため単にヘッドを交換するだけで各々のオーボエに固有の音の探究及び音域の適合が可能となる。
【００１９】
なお、このオーボエヘッドが割れた場合、より容易にこのヘッドを交換しオーボエの主本体に適合可能な新しいヘッドで置換えることができる。
【００２０】
本発明の好ましい１つの特徴によれば、横断方向のジョイント面は、オクターブホールとこれらのオクターブホールとトーンホールの間に配置されたトリルホールとの間にある。
【００２１】
換言すると、該オーボエ本体の第１の部分は、オクターブホールしか有していない。
【００２２】
本発明の好ましいもう１つの特徴によれば、Ｇ♯（ソ♯）キーは、その一部分がＥ♭（ミ♭）キーの下に延びている。
【００２３】
従来はＡ（ラ）とＧ（ソ）のトーンホールの間にあったキーのこの配置は、オーボエの本体のこの部分にジョイント面が存在しないことによって可能となっている。
【００２４】
こうして、キー間を移行する際に奏者にとって演奏上の優れた人間工学が可能となる。
【００２５】
有利には、本発明に係るオーボエは、演奏者が音及び調性を修正できるような形で、上記第１の部分と互換性あるもう１つの第１の部分を付属部品として有する。
【００２６】
本発明の第２の形態によれば、該発明は同様に、リードを収容するように適合されたピペレルを片端に担持する、オクターブホールを有するオーボエヘッドをもその対象としている。このオーボエヘッドは、本発明の第１の形態によるオーボエの本体の第２の部分に嵌め込まれるように適合されている。
【００２７】
本発明のその他の特長及び利点は、さらに以下の記述において明らかになることだろう。
【００２８】
限定的な意味のない一形態として示されている添付図面において：
−図１は、本発明の一実施形態に従った分解されたオーボエを例示している。
【発明を実施するための最良の形態】
【００２９】
ここで図１を参照にしながら、本発明に係るオーボエについて述べる。
【００３０】
このオーボエは次の３つの部分を有している：
−  片端にピペレル１１を担持し、以下の記述においてオーボエのヘッド１０と呼ばれる本体の部分１０；
−  オーボエのヘッド１０上に第１の端部２０ａのレベルで組立てられるように適合された第２の部分２０；及び
−  オーボエの本体２０の第２の端部２０ｂのレベルで組立てられるようになっているベル３０。
【００３１】
ここで本発明に係るオーボエのこれらの部分１０、２０、３０の各々についてここでさらに詳細に述べる。
【００３２】
第１の部分１０は、その片端１０ａに、リード（図示せず）を収容するように適合されたピペレル１１を担持している。
【００３３】
このオーボエヘッド１０は、第２の端部１０ｂにおいて、オーボエの本体２０内でのこのヘッド１０の嵌め込みを可能にするように適合された固定用手段１２をその長さ内に有している。
【００３４】
この実施形態においては、固定手段１２は、ほぞで構成されており、これがかくしてヘッド１０を超える突出部を形成する。
【００３５】
このオーボエヘッドは、１００〜１２０mmの間に含まれる長さを有することができる。好ましくは、このヘッドは、突出する固定手段１２を含まずに１０２mmの長さを有する。
【００３６】
従ってこのオーボエヘッド１０は、ほぼ２３３mmに等しい従来のオーボエの上管の通常の長さよりもかなり短い長さを有している。
【００３７】
かくして、このオーボエヘッド１０は、この実施形態においては３つのオクターブホール１３のみを有している。このヘッドは同様に、それぞれオクターブホール１３の各々に結びつけられたキー１４及びレバー類も支持している。
【００３８】
オーボエの主本体２０は同様に、その端部２０ａ、２０ｂの各々にそれぞれ配置された固定手段２１ａ、２１ｂを有する。
【００３９】
この本体２０の端部２０ａは、オーボエのヘッド１０と嵌め込み協働するようになっていることから、固定手段２１ａは、ほぞ１２と相補的な寸法のほぞホール２１ａで形成されている。
【００４０】
反対に、本体２０の第２の端部２０ｂは、オーボエのヘッド１０のほぞ１２と類似したほぞから成る固定手段２１ｂを有する。
【００４１】
このオーボエ本体２０の長さは、この本体２０の片端２０ｂで突出した固定用手段２１ｂを含まずに、３６５〜３７５mmの間に含まれている。
【００４２】
記述された実施形態においては、オーボエヘッドは１０２mmの長さを有することから、本体２０は好ましくは３７０mmの長さを有する。
【００４３】
かくして、オーボエのこの本体部分２０の長さは、約２３８mmの従来のオーボエの下管の従来の長さよりもはるかに長いものである。
【００４４】
オーボエのこの本体２０は、上から下に向かって（すなわち図中では右から左に向かって）トリルホール２２（カデンツホールとも呼ばれる）及びＤ♭（レ♭）（又はオープンでＣ♯（ド♯））のプレートに結びつけられたＥ♭（ミ♭）、Ｄ（レ）及びＤ♭（レ♭）の音のオクターブ演奏に対応するハーフホール２３を有する。
【００４５】
オーボエの本体２０には、Ｃ（ド）ナチュラル、Ｂ（シ）、Ｂ♭（シ♭）、Ａ（ラ）、Ｇ♯（ソ♯）、Ｇ（ソ）、Ｆ♯（ファ♯）、Ｆ（ファ）、Ｅ（ミ）、Ｅ♭（ミ♭）、Ｄ（レ）、Ｄ♭（レ♭）及びＣ（ド）という音に対応する一連のホールがあけられている。この点において、それぞれフォークＦ（ファ）及びキーＦ（ファ）と呼ばれる２つのＦ（ファ）音が存在するということを指摘しておきたい。
【００４６】
オーボエのこの本体２０は同様に従来通り、その開閉を可能にするトーンホール各々に結びつけられたキー及びレバー一式を有している。
【００４７】
特に、これは、Ｇ♯（ソ♯）キーと呼ばれるキー２４及びガチョウのアシという名で知られる部分を形成するそれぞれＥ♭（ミ♭）キー、Ｂ（シ）ナチュラルキー及びＢ♭（シ♭）キーと呼ばれるキー２５、２６、２７が備わっている。
【００４８】
オーボエ本体のこの部分２０は、ベル３０上に第２の端部２０ｂのレベルで組立てられるようになっている。このベルは、片端３０ａに、ここでは本体２０のほぞ２１ｂと協働するように適合されたほぞホール３１ａから成る相補的固定手段３１ａを有する。
【００４９】
このベルのもう１つの端部３０ｂは、自由空間に通じ、オーボエの共鳴を可能にするための開口部を形成し、低Ｂ♭（シ♭）音はこの開口部から出る。
【００５０】
このベルの長さは１２８mmにほぼ等しく、伝統的なオーボエのベルの長さに対応する。
【００５１】
楽器全体は、ひとたび組立てられた時点で、ほぼ６００mmに等しいベルの端部３０ｂとピペレルとの間の長さを有する。
【００５２】
従来、このベル３０はＢ（シ）ナチュラルのトーンホールならびにこのベルの共鳴を修正できるようにするオリフィス３２を有する。
【００５３】
かくして、本発明に係るオーボエは、この実施形態においてはオーボエの本体２０の端部２０ａの端部に配置されたトリルホール２２とオクターブホール１３との間である、トーンホールとオクターブホールとの間にある本体２０とヘッドとの間にジョイント面を呈している。
【００５４】
この新しい配置は、ほぼＧ（ソ）とＧ♯（ソ♯）のトーンホールの間でオーボエ本体の中に従来具備されていたジョイント面を削除できるようにしている。
【００５５】
ジョイント面のこの新しい配置は、伝統的なオーボエにおける上管と下管のジョイントに起因する異なる本体間の内径の差が存在しなくなっていることから、特に本体の長手方向の管内部形状レベルでより均質な本体２０を得ることを可能にする。かくして、オーボエの主本体内の内部の心ずれ又はずれの危険性はことごとく無くなる。
【００５６】
この本体２０はモノブロック（単一パーツ）であるため、楽器上のトーンホールの位置合せつまり配置を改善し特により良く配分することが可能である。
【００５７】
結びつけられたレバー及びキーのシステムは、かくしてさらに論理的に実現可能である。
【００５８】
特に、もはや本体２０のこの部分のレベルに、ほぞが存在しないことから、Ａ（ラ）、Ｇ♯（ソ♯）及びＧ（ソ）のトーンホールを接近させることができる。
【００５９】
実際には、オーボエのピペレル１１の方向にＧ（ソ）のホールを約３mm上げ、逆にＧ♯（ソ♯）、Ａ（ラ）、Ｂ♭（シ♭）、Ｂ（シ）及びＣ（ド）をベル３０の方向に約２mm下げることが可能である。かくしてＧ（ソ）とＧ♯（ソ♯）との間の距離を伝統的なオーボエと比べ約５mmだけ短かくすることができる。
【００６０】
同様に、ハーフホール２３が低音のＥ♭（ミ♭）、Ｄ（レ）及びＤ♭（レ♭）のためのオクターブキーの代りも務めることから中間Ｄ♭（レ♭）のプレートを約５mmだけ下げることも可能である。
【００６１】
根音との関係におけるこのオクターブキー２３の接近は、特に該楽器の最も微妙な音色とみなされているＤ♭（レ♭）の音色について、これらの根音のオクターブ移行を著しく改善する。
【００６２】
なお、ジョイント面及びガチョウアシのキー２４〜２７をＧ♯（ソ♯）の音のレベルから排除したことにより、このガチョウアシのレベルでのキーの配置を修正して、より人間工学的な機構を得ることが可能である。特に、図に充分例示されている通り、Ｇ♯（ソ♯）キー２４は、その一部分がＥ♭（ミ♭）キー２５の下に延びている。
【００６３】
ジョイント面がガチョウアシのレベルで実施されている伝統的なオーボエにおいては不可能であったこのタイプの組立てにより、奏者による演奏を容易にする配置を得ることが可能である。
【００６４】
その上、オーボエのヘッド１０は、楽器の音及び演奏のためだけでなく木の割れの場合のその交換のためにも、交換が容易にできるという利点を呈している。
【００６５】
実際、このヘッド部分１０は楽器の音、音程の正確さ及びオクターブ演奏にとってきわめて重要であり、オーボエが単数又は複数の互換性あるヘッドを付属部品として含んでいることが有利であり得る。
【００６６】
例えば、このオーボエヘッド１０は、異なる長さ方向の管内部形状の直径ならびに場合によっては、異なる長さを有することができると思われる。
【００６７】
さらに、例えば樹脂、プラスチックさらにはAltuglass（登録商標）タイプのポリメタクリル酸メチル製といった、熱衝撃及び水分に対して感応しない材料でできたヘッドを利用することが可能である。
【００６８】
このタイプの材料は、演奏者の息の中の水分の存在を理由としてだけではなく、低温の場所（教会、クーラーのきいた部屋など）の場合の割れに対するオーボエヘッドの、より優れた強度を提供する。
【００６９】
各奏者はかくして、適切なオーボエヘッド１０の選択により、楽器を自らの好みに合わせることができる。
【００７０】
当然のことながら、本発明の範囲から逸脱することなく上述の実施形態に対し数多くの修正を加えることができる。
【００７１】
かくして、オーボエのヘッド１０及び主本体２０のジョイント面がオクターブホール１３とトリルホール２２の間にある実施形態について記述した。
【００７２】
しかしながら、本発明の範囲内において、ジョイント面がトリルホール２２とトーンホールの間、例えばトリルホール２２と中間オープンＤ♭（レ♭）のトーンホールの間にあることを考慮することが可能である。
【００７３】
また、図１を参照にしてＣ（ド）管のオーボエについて記述した。
【００７４】
本発明は、Ｅ♭（ミ♭）管ミュゼットピッコロ、Ａ（ラ）管オーボエダモーレ、Ｃ（ド）管バリトンオーボエ又はＦ（ファ）管イングリッシュホルンといったようなその他のタイプの管楽器のために応用することも可能であると思われる。
【図面の簡単な説明】
【００７５】
【図１】本発明の一実施形態に従った分解されたオーボエを例示している図である。
【図１】
2007530994.tif 000003
【国際調査報告】
2007530994.tif 000004
2007530994.tif 000005
2007530994.tif 000006
2007530994.tif 000007
2007530994.tif 000008
2007530994.tif 000009